(57)【要約】【課題】所要の流れおよび空気混合特性と利用可能な構造空間とに最適に調整された運動経過の温度混合フラップを有しおよび／または端位置の間でのその運動用に必要な回転モーメントが減少した改良型空気調和機構を提供する。【解決手段】車両用暖房および／または空気調和機構であって、１つのハウジングと、１つの送風機と、少なくとも１つの熱交換器、特に放熱器と、場合によっては流れ方向で放熱器の上流側に配置される１つの蒸発器と、混合室に流入する前に少なくとも１つの第１部分空気流と少なくとも１つの第２部分空気流とに分割可能な流入空気流と、混合室から出発する複数の空気通路および／または空気流制御手段と、壁領域を備えて第１端位置と第２端位置との間を運動可能な少なくとも１つの混合フラップとを有し、前記少なくとも第１部分空気流が直接に、または１つの空気通路を介して、混合室に流れ込み、前記少なくとも第２部分空気流が放熱器を経由し、また暖空気通路を経由して、混合室に流れ込み、第１端位置のとき混合フラップの壁領域が前記少なくとも第１部分空気流を混合室に流入させるための口を完全に閉鎖し、第２端位置のとき混合フラップの壁領域が前記少なくとも第２部分空気流を混合室に流入させるための口を完全に閉鎖し、かつその間で支承される位置のとき暖空気通路への前記少なくとも第１部分空気流の直接的貫流を可能とするものにおいて、混合フラップが少なくとも２つの枢支手段を介して運動可能であり、混合フラップの運動中に混合フラップの少なくとも部分領域、特に壁領域が、回転と並進とで構成される運動を実行するように、枢支手段が配置されていることを特徴とする暖房および／または空気調和機構。【選択図】図１２
2007537080.tif 000002
【特許請求の範囲】
【請求項１】
車両用暖房および／または空気調和機構であって、１つのハウジングと、１つの送風機と、少なくとも１つの熱交換器、特に放熱器と、場合によっては流れ方向で放熱器の上流側に配置される１つの蒸発器と、混合室に流入する前に少なくとも１つの第１部分空気流と少なくとも１つの第２部分空気流とに分割可能な流入空気流と、混合室から出発する複数の空気通路および／または空気流制御手段と、壁領域を備えて第１端位置と第２端位置との間を運動可能な少なくとも１つの混合フラップとを有し、前記少なくとも第１部分空気流が直接に、または１つの空気通路を介して、混合室に流れ込み、前記少なくとも第２部分空気流が放熱器を経由し、また暖空気通路を経由して、混合室に流れ込み、第１端位置のとき混合フラップの壁領域が前記少なくとも第１部分空気流を混合室に流入させるための口を完全に閉鎖し、第２端位置のとき混合フラップの壁領域が前記少なくとも第２部分空気流を混合室に流入させるための口を完全に閉鎖し、かつその間で支承される位置のとき暖空気通路への前記少なくとも第１部分空気流の直接的貫流を可能とするものにおいて、混合フラップが少なくとも２つの枢支手段を介して運動可能であり、混合フラップの運動中に混合フラップの少なくとも部分領域、特に壁領域が、回転と並進とで構成される運動を実行するように、枢支手段が配置されていることを特徴とする暖房および／または空気調和機構。
【請求項２】
混合フラップの前記少なくとも２つの枢支手段が、ハウジングに関して位置固定の軸でそれぞれ回転可能に支承されており、軸が相互に離間していることを特徴とする、請求項１記載の暖房および／または空気調和機構。
【請求項３】
混合フラップの前記少なくとも２つの枢支手段がレバーアームの態様に構成されていることを特徴とする、先行請求項のいずれか１項記載の暖房および／または空気調和機構。
【請求項４】
混合フラップが、前記少なくとも２つの枢支手段を混合フラップとピン結合するための手段を有することを特徴とする、先行請求項のいずれか１項記載の暖房および／または空気調和機構。
【請求項５】
混合フラップの少なくとも２つの枢支手段が同じ長さに構成されていることを特徴とする、先行請求項のいずれか１項記載の暖房および／または空気調和機構。
【請求項６】
混合フラップの少なくとも２つの枢支手段が異なる長さに構成されていることを特徴とする、先行請求項のいずれか１項記載の暖房および／または空気調和機構。
【請求項７】
混合フラップの枢支要素の回転軸が混合室の領域内にあることを特徴とする、先行請求項のいずれか１項記載の暖房および／または空気調和機構。
【請求項８】
少なくとも混合フラップの第１枢支要素の回転軸が混合室の領域内にあり、混合フラップの第２枢支要素の回転軸が第１または第２部分空気流の領域内にあることを特徴とする、先行請求項のいずれか１項記載の暖房および／または空気調和機構。
【請求項９】
混合フラップの壁領域が横断面において少なくとも部分的に円形状または円切片状に実施されていることを特徴とする、先行請求項のいずれか１項記載の暖房および／または空気調和機構。
【請求項１０】
混合フラップの壁領域が少なくとも部分的に楕円形状、放物線形状、双曲線形状またはその他の恒常的に湾曲した形状に構成されていることを特徴とする、先行請求項のいずれか１項記載の暖房および／または空気調和機構。
【請求項１１】
混合フラップの壁領域が少なくとも部分的に、平らな平面部材として実施されていることを特徴とする、先行請求項のいずれか１項記載の暖房および／または空気調和機構。
【請求項１２】
混合フラップの壁領域が、横方向で分離された特に異なる湾曲領域を有することを特徴とする、先行請求項のいずれか１項記載の暖房および／または空気調和機構。
【請求項１３】
混合フラップが、その全面で連続した恒常的壁領域を有することを特徴とする、先行請求項のいずれか１項記載の暖房および／または空気調和機構。
【請求項１４】
混合フラップが一体な壁領域を有することを特徴とする、先行請求項のいずれか１項記載の暖房および／または空気調和機構。
【請求項１５】
ハウジングが、混合フラップの少なくとも１つの端位置用の少なくとも１つの端止めを有することを特徴とする、先行請求項のいずれか１項記載の暖房および／または空気調和機構。
【請求項１６】
混合フラップの壁領域が、混合フラップの少なくとも１つの端位置用の少なくとも１つの止めまたは止め面を有することを特徴とする、先行請求項のいずれか１項記載の暖房および／または空気調和機構。
【請求項１７】
混合フラップの壁領域がその周面に密封手段を有することを特徴とする、先行請求項のいずれか１項記載の暖房および／または空気調和機構。
【請求項１８】
密封手段が、射出成形または発泡成形されるシールリップとして構成されていることを特徴とする、先行請求項のいずれか１項記載の暖房および／または空気調和機構。
【請求項１９】
ハウジングが、混合フラップの端位置の少なくとも一方のとき混合フラップの壁領域の正面領域において密封稜付きで構成されていることを特徴とする、先行請求項のいずれか１項記載の暖房および／または空気調和機構。
【請求項２０】
密封稜がハウジングに腹部または突出領域の態様に構成されていることを特徴とする、先行請求項のいずれか１項記載の暖房および／または空気調和機構。
【発明の詳細な説明】
【技術分野】
【０００１】
本発明は、車両用暖房および／または空気調和機構であって、１つのハウジングと、１つの送風機と、少なくとも１つの熱交換器、特に放熱器と、場合によっては流れ方向で放熱器の上流側に配置される１つの蒸発器と、混合室に流入する前に少なくとも１つの第１部分空気流と少なくとも１つの第２部分空気流とに分割可能な流入空気流と、混合室から出発する複数の空気通路および／または空気流制御手段と、壁領域を備えて第１端位置と第２端位置との間を運動可能な少なくとも１つの混合フラップとを有し、前記少なくとも第１部分空気流が直接に、または１つの空気通路を介して、混合室に流れ込み、前記少なくとも第２部分空気流が放熱器を経由し、また暖空気通路を経由して、混合室に流れ込み、第１端位置のとき混合フラップの壁領域が前記少なくとも第１部分空気流を混合室に流入させるための口を完全に閉鎖し、第２端位置のとき混合フラップの壁領域が前記少なくとも第２部分空気流を混合室に流入させるための口を完全に閉鎖し、かつその間で支承される位置のとき暖空気通路への前記少なくとも第１部分空気流の直接的貫流を可能とする車両用暖房および／または空気調和機構に関する。
【背景技術】
【０００２】
車両用暖房および／または空気調和機構は典型的には単一部分構成または多部分構成の１つのハウジングと、新鮮空気または循環空気を吸引するための１つの送風機と、場合によっては１つの熱交換器と、特に空気を冷却するための１つの蒸発器と、空気を加熱するための第２熱交換器と、主空気流を温度調節するための１つの装置と、１つの混合空間とで構成されている。
【０００３】
蒸発器から流出する冷却された空気流または新鮮空気流は、主に第１部分空気流として冷空気通路を介してかまたは直接のいずれかで混合室に送り込まれ、また第２部分空気流として他の通路または結合区域を介して、放熱器として実施される熱交換器に供給される。放熱器を経由する第２部分空気流は加熱された空気流として混合空間に流入し、冷たい第１部分空気流の少なくとも一部と混合後に主空気流を形成する。
【０００４】
混合空間または混合室から出発して、主空気流はさまざまな空気吹出し口を介して車室内に供給される。これらの空気吹出し口、または例えばデフロスト空気吐出し口、中央空気吐出し口、側部空気吐出し口または足元空間空気吐出し口等の吐出し口は、他の制御フラップを介して空気量の点でさまざまに付加可能である。
【０００５】
冷たい部分空気流と加熱された部分空気流とからなる空気温度調節装置によって調整可能なさまざまな体積流によって、混合室内に主空気流もしくは空気の温度が生じる。混合室からさまざまな領域に送られまたは車室内のゾーンにも送られる主空気流を温度調節するためのこのような装置は大抵１つの温度混合フラップからなり、またはこのような混合フラップの配置からなる。このような混合フラップのさまざまな動作位置によって、異なる空気流れ通路の付加を適切に調節または制御することが可能である。特に、これら両方または複数の空気流の合流または混合後に限定的温度を達成するために、２つの別々に温度調節された空気流の体積流量比は調整することができる。
【０００６】
技術の現状、例えば特許文献１により、このような温度混合フラップ用にいわゆるバタフライフラップが公知である。これは２翼式に実施され、回転軸の周りで回転可能または旋回可能に支承されており、２つの端位置の間を動くことができる。その際フラップまたはフラップ部分領域は第１端位置のとき冷空気通路を完全に閉じ、同時に、空気流を加熱要素へと導く暖空気通路を開放する。第２端位置のとき逆の事態となる。フラップは加熱要素に至る通路を完全に閉鎖し、冷空気通路を介して混合室に達するのは冷空気のみである。その間で支承されるフラップ位置のとき冷空気通路と暖空気通路は部分的に閉鎖もしくは開放されており、両方の部分流を合流させる混合室内の特定温度がフラップ位置に依存して生じる。
【０００７】
フラップが第１端位置にあって例えば冷空気通路を閉鎖していると、混合空気の僅かな温度低下を達成するためにフラップは小さな角度だけ回動する。冷通路を閉鎖する混合フラップ翼部分の末端領域で、冷空気を混合室内に貫流させるための細い口が解放される。その際欠点であると判明したのは、バタフライフラップの場合この口領域が設計に起因してフラップの末端にあり、この末端が暖空気通路とは反対のフラップ側にあることである。冷却された空気は冷空気通路の縁領域に沿ってフラップ末端の脇を擦過して混合室に入り、そのため暖空気と冷空気との僅かな混合が達成されるにすぎない。こうしてこの縁領域に隣接した吹出し口は主として冷空気を付加され、かなり離れた口は専ら暖空気を付加される。これは、混合室からの空気吹出し口を考慮すると、しばしば望ましくない温度積層をもたらす。最初完全に閉鎖された暖空気通路をゆっくりと開放させる逆の事例にも同様のことがあてはまる。
【０００８】
部分空気流の混合向上が達成されるのは、バタフライ形の混合フラップにおいて回転軸を、もしくは回転軸の領域でフラップ壁を、冷空気通路と暖空気通路との間の隔壁の縁領域または末端から離間させ、端位置間で支承される混合フラップ位置において冷空気通路から暖空気通路への冷空気の直接的貫流を行えるようにし、こうして混合室への流入前に既に両方の部分空気流の混合改善をもたらすことによってである。しかしこの配置では欠点として、２翼フラップが構成されるので、冷空気通路および暖空気通路の開放幅の合計によって決まるフラップ総寸法が生じる。例示的実施が特許文献２に示してある。
【０００９】
この問題に救済の手掛りを提供する混合フラップを備えた空気調和機構が特許文献３により公知である。温度混合フラップはドラムフラップとしてまたは少なくともドラム状フラップとして実施されている。ドラム状フラップの主要特徴は、フラップの有する壁体が円形に、回転軸に関して凸面状に構成されていることである。通路の閉鎖もしくは開放用に設けられる壁領域の総寸法はいまや両方の通路のうち幅広通路の最大開放幅によって決定されるにすぎない。図示実施形態においてフラップは回転軸の周りで回転可能に支承されている。「冷」端位置と「暖」端位置との間で旋回中に冷空気通路から暖空気通路への冷空気の直接的貫流を可能とするために、円切片状に構成される閉鎖壁は単数または複数の開口部、もしくは閉鎖壁から窪んだ領域を備えている。
【００１０】
方向転換される冷空気の流れ領域におけるフラップの凸面湾曲形状によって、流れ特性に対して不利な作用が生じる。特定のフラップ位置のとき、流入する冷空気流の優先方向は閉鎖壁に対してほぼ垂直である。壁に衝突する冷空気は暖空気通路に移行する前になお渦化する。それとともに、冷空気の方向転換をもたらすべき閉鎖壁は流れ障害となる。そのことから帰結する高い圧力低下によって空気調和機構の音響特性も悪化する。
【００１１】
混合フラップをドラムフラップの態様に実施することによって、フラップの回転運動用に必要な構造空間に対する最低要求条件が生じる。旋回行程の柔軟な適応は可能でない。
【００１２】
動作時に温度混合フラップが回転運動を実行する‐これはバタフライフラップにも該当する‐ことによって、技術の現状から公知のフラップはフラップ正面のハウジングに対するフラップ密封領域で他の欠点が生じる。混合フラップまたは温度混合フラップはふつうその壁体もしくは正面または側面に密封面を備えている。ハウジングに対するフラップ全体の密封が端位置でのみ与えられていれば十分である場合、それにもかかわらずここでは運動経過全体にわたって、側部密封面もしくは正面側密封面とハウジング壁体との間の摩擦を克服するために相応するモーメントが加えられねばならない。
【特許文献１】独国特許発明第３０３８２７２号明細書
【特許文献２】独国特許出願公開第３５１０９９１号明細書
【特許文献３】米国特許第６２３１４３７号明細書
【発明の開示】
【発明が解決しようとする課題】
【００１３】
そこで本発明の課題は、この技術の現状から出発して、所要の流れおよび空気混合特性と利用可能な構造空間とに最適に調整された運動経過の温度混合フラップを有しおよび／または端位置の間でのその運動用に必要な回転モーメントが減少した改良型空気調和機構を提供することである。
【課題を解決するための手段】
【００１４】
この課題は、混合フラップが少なくとも２つの枢支手段を介して運動可能であり、混合フラップの運動中に混合フラップの少なくとも部分領域、特に壁領域が、回転と並進とで構成される運動を実行するように、枢支手段が配置されていることによって解決される。有利な諸構成は従属請求項の対象である。
【発明の実施の形態】
【００１５】
本発明によれば空気調和機構が空気流を発生するために送風機を有する。この送風機の下流側に場合によっては蒸発器が配置されている。選択的蒸発器後に、またはこれが設けられていない場合混合室に流入前に、空気流は少なくとも１つの第１部分空気流と少なくとも１つの第２部分空気流とに分割される。第１部分空気流が直接にまたは第１流れ通路を介して混合室に流れ込む一方、第２部分空気流は熱交換器、特に放熱器を介装した第２流れ通路を介して熱交換器の下流側で混合室に流れ込む。
【００１６】
混合室内で第１部分空気流と第２部分空気流とから混合空気流または主空気流を発生可能であり、混合室から空気吹出し通路が車室内のさまざまな領域またはゾーンに通じている。例えばデフロスト空気通路、中央空気通路、側部空気通路または足元空間空気通路等の空気吹出し通路に主に付加的切換フラップが付設されており、これらの切換フラップは混合室から、付設された空気吹出し通路内の空気吹出し流を制御する。
【００１７】
主空気流または混合空気流の温度調節に役立つ混合フラップは、混合室領域の口を選択的に開放または閉鎖することのできる壁領域を備えている。本発明に係る混合フラップは第１端位置と第２端位置との間を運動可能であり、第１端位置のとき混合フラップの壁領域は少なくとも第１部分空気流を混合室内に流入させるための口を完全に閉鎖し、少なくとも第２部分空気流を混合室に流入させるための口を少なくとも部分的に解放し、第２端位置のとき混合フラップの壁領域は少なくとも第２部分空気流を混合室に流入させるための口を完全に閉鎖し、少なくとも第１部分空気流を混合室に流入させるための口を少なくとも部分的に解放する。
【００１８】
これら端位置の間で支承される混合フラップ位置のとき、混合フラップ壁領域の少なくとも１区域の造形とフラップの相応に調整可能な運動方式とによって、第１部分空気流、例えば冷空気流の少なくとも一部は、第２部分空気流の空気通路、例えば暖空気流を運ぶ暖空気通路内に直接貫流することが可能である。
【００１９】
混合フラップは少なくとも２つの枢支手段を介して両方の端位置の間を運動可能である。混合フラップの枢支は、混合フラップの運動中に混合フラップまたは壁領域の少なくとも部分領域が回転と並進とからなる運動を実行するように行われる。
【００２０】
本発明の他の有利な１構成において、混合フラップの少なくとも２つの枢支手段が、空気調和機構のハウジングに関して位置固定の回転軸でそれぞれ支承されている。少なくとも２つの枢支手段の回転軸は相互に離間している。混合フラップの少なくとも２つの枢支手段はレバーアームの態様に構成されている。混合フラップは、枢支手段を混合フラップと結合するためにピン結合手段を有する。有利には少なくとも２つの枢支手段は同じ長さに構成されている。
【００２１】
空気混合もしくは空気積層の推移または利用可能な構造空間に関するさまざまな要求条件に混合フラップの運動経過を適応するために、本発明の他の有利な１構成において少なくとも２つの枢支手段は異なる長さに実施しておくことができる。少なくとも１つの枢支手段の回転軸は主に混合室の領域内にあり、または空気調和機構のハウジングに隣接している。少なくとも第２枢支手段の回転軸は主にやはり混合室の領域内にあり、または空気調和機構のハウジングに隣接し、または少なくとも第１部分空気流または少なくとも第２部分空気流の領域内にある。
【００２２】
本発明によれば、混合フラップ壁領域の造形は空気混合および分配に対する要求条件に即して行われる。混合フラップは例えばその全面で連続した恒常的壁領域を有し、この壁領域は横断面において少なくとも部分的に円形状または円切片状に異形化されている。
【００２３】
本発明の他の有利な１構成において、混合フラップの壁領域は少なくとも部分的に楕円形状、放物線形状、双曲線形状またはその他の恒常的に湾曲した形状に構成され、または少なくとも部分的に、平らな平面部材として構成されている。
【００２４】
混合フラップの壁領域は好ましくは一体に、特にプラスチック射出成形品として実施されている。
【００２５】
少なくとも第１、第２部分空気流、主に冷空気流と暖空気流との十分な混合を領域ごとに行い、例えば温度積層を達成したい場合、混合フラップは横方向で分離された異なる壁領域を有することができる。付加的にこのような所期の温度積層にとって有利なのは、空気調和機構のハウジング内に混合フラップの分離された壁領域に対応して断続的に隔壁を設けることである。
【００２６】
端位置の少なくとも１つの位置で混合フラップを固定するために、好ましくは壁領域の一方または両方の長辺側末端は止めまたは止め面の態様に実施されている。この少なくとも１つの止めはハウジング壁の腹部または相応に仕上げられた突出領域または窪んだ領域に当接し、少なくとも１つの端位置のとき流れ通路の長辺側密封をもたらす。主に前記少なくとも１つの止めは密封材料、例えば弾性シールリップまたは発泡押出被覆で付加されている。
【００２７】
好ましくは、ハウジングは少なくとも混合フラップの端位置のとき、例えば、混合フラップの壁領域の正面領域において腹部またはハウジング内壁の突出領域の態様の密封稜付きで構成されている。
【００２８】
その他の点で本発明は、以下、図面に示した実施例に基づいて詳しく説明される。
【実施例】
【００２９】
図１は本発明に係る空気調和機構１を横断面図で示す。ハウジングの１領域の内部に図示しない送風機３、主にラジアルファンが配置されており、これが切断平面に垂直に空気を吸引する。ラジアルファンによって移送される空気はまず空気フィルタ４を貫流し、次に蒸発器５を貫流し、蒸発器内で空気が冷却される。
【００３０】
蒸発器４の下流側に続くのは、冷空気流１５を混合室１７内に流入させることのできる混合室口１４への冷空気流入領域と、放熱器流入通路と称される流れ通路１８である。流れ通路１８に流れ込む空気は蒸発器５の下流側で、放熱体として実施される熱交換器６と補助加熱素子７、例えばＰＴＣ加熱素子とを通過する。暖空気通路と称されて放熱器６の下流側に設けられる流れ通路１３を介して、加熱された空気は暖空気流１６として混合室口１９を通過後に混合室１７内に達する。冷空気および暖空気用混合室口（１４、１９）は直接に隣り合わせて配置されている。
【００３１】
混合フラップ８は２つの端位置の間を運動可能であり、その位置によって、混合室口１４から混合室に流入する冷空気流１５と混合室口１９から混合室に流入する暖空気流１６との割合を決定する。それとともに、混合室１７内に生じる混合空気の得られる温度は制御もしくは調節される。
【００３２】
混合室１７から複数の空気吹出し通路１１が分岐しており、これら通路のそれぞれに付設された切換フラップ１２によって相応する空気吹出し通路１１内の空気流の値は制御可能または調節可能である。
【００３３】
図１では混合フラップ８が第１端位置において示してあり、混合室口１９内の暖空気流１６の貫流を閉鎖している。蒸発器４から流出する空気流全体が冷空気流１５として混合室口１４を介して混合室１７に送り込まれる。
【００３４】
混合フラップ８と空気調和機構１の部分領域との拡大横断面が図１と同じフラップ位置で図２に示してある。混合フラップ８の位置決めと運動は、レバーアームとして実施される２つの枢支手段９を介して行われる。レバーアームは、相互に離間しハウジング２に関して位置固定の回転軸２０を有する。回転軸２０とは反対のレバーアーム末端でレバーアームは、壁領域１０に射出成形された側板２１を介して壁領域１０とピン結合されている。図示実施例において、レバーアームとして実施される枢支手段９は同じ長さに構成されている。
【００３５】
壁領域１０は横断面において回転軸２０に関して凹面湾曲断面を有し、この断面は混合フラップの長手方向（図示平面に垂直）に延設されている。混合室［原文：混合フラップ］１７の両方の正面に成端壁体または正面壁体２２があり、その外面に腹部２４が続き、こうして端位置においてハウジング２に対して混合フラップ８の横方向密封を保証している。壁領域１０に両側で隣接して止め面２３があり、止め面は混合フラップ８の全長にわたって連続的に実施され、端位置のとき空気調和機構１のハウジング２に相応に構成される止め面２５に密封当接する。主に止め面２３は相応する流体密な被覆、例えば発泡材料または射出成形された弾性シールリップを備えている。
【００３６】
図３は混合フラップ８を第２端位置で示しており、この混合フラップは混合室口１４内の冷空気流１５の貫流を閉鎖する。蒸発器５から流出する空気流全体が放熱器流入通路１８、放熱器６、補助ヒータ７を介して暖空気流１３として混合室１７に送り込まれる。混合フラップ８の止め面２３とハウジング２の止め面２５は図示したこの第２端位置のときにも冷空気流入領域の密封をもたらす。
【００３７】
図４には混合フラップ８が中間位置で示してある。冷空気流１５用混合室口１４も暖空気流１６用混合室口１９も完全には閉鎖または開放されていない。蒸発器５からくる空気流の流れ経路は図示した矢印に基づいて明らかとなる。冷空気流１５は混合室１７に直接達する第１部分流と第２部分流とに分割され、第２部分流は混合フラップ８の壁領域１０を介して暖空気通路１３内に方向転換され、そこで、放熱器６を通過した部分空気流１３と混合される。壁領域１０の流線形に実施された形状によって、図４から明らかとなるように、冷部分流の穏やかな方向転換が可能である。
【００３８】
図５と図６とによって説明しようとするのは本発明に係る混合フラップ８の運動推移である。混合フラップ８の止め面２３を密封してハウジング止め２５に当接する第１端位置から出発して、混合フラップ８の正面で円環切片状に実施されるシール腹部２４とこれに対応してハウジング壁に構成されるシール腹部２６とによって混合室口１４の密封も行われる。主に腹部２４は相応する流体密な被覆、例えば発泡材料または射出成形される弾性シールリップを備えている。この端位置から図６に示す中央位置への混合フラップの運動が起きる場合、特に壁領域１０が実行するのは純回転とは異なり並進と回転とからなる運動であることが明らかとなる。これによりシール腹部２４はハウジングに位置固定された腹部２６から持ち上がりまたは下方に逃げることになる。この腹部（２４、２６）が密封稜または密封面として機能し、運動の過程で相互にさらに離反するので、腹部もしくは混合フラップ８に取付けられまたは射出成形されたシールリップとハウジングとの間の摩擦も減少し、その結果、混合フラップ８の運動用に必要な回転モーメントは純回転運動時の一定した腹部（２４、２６）間の距離の場合よりも少なくなる。壁領域１０の形状と混合フラップ８の中間位置における運動経過とによって暖空気通路１３への冷空気の直接的貫流の可能性がいずれにしても提供されるので、中間位置における混合フラップ８の正面側密封は必要でない。決定的なのはむしろ、運動用に不可欠な回転モーメントが減少し、それにもかかわらず両方の端位置における密封機能が維持されることである。
【００３９】
本発明に係る混合フラップ８の他の斜視図が図７と図８に見られる。再度明らかとなるのは混合フラップ８の枢支であり、図示実施例では４つの枢支手段９を介してであり、これらの枢支手段はレバーアームとして実施され、それぞれ対で１つの共通する回転軸２０を有する。例えば混合室１７の第１領域では冷部分空気流と暖部分空気流との良好な混合を達成し、第２領域では混合室内もしくはそこから分岐する空気通路１１内で強力な温度積層を達成するために、混合フラップ８の壁領域１０は横方向で２つの異なる湾曲区域に分割されている。壁領域１０の異なる湾曲領域の間の結合部として基本的に役立つのは段差状正面壁２２である。
【００４０】
図８ではハウジング２のシール腹部２６とハウジング止め面２５を斜視図で認めることができる。混合フラップ８の密封機能は上で述べたようにシール腹部２４と混合フラップ８の止め面２３との協動から得られる。
【００４１】
本発明に係る他の変更態様の１実施例が図９〜図１２に示してある。図２〜図８に示す実施形態とは異なり、枢支手段９の回転軸２０は相互に著しく離間している。図示例において第１回転軸２０は混合室１７の領域、第２回転軸２０は混合室口１４の上流側で冷空気流１５の領域にある。枢支手段９のレバーアームは異なる長さに構成されている。
【００４２】
図２と同様に、図９は混合フラップ８を第１端位置で示しており、この混合フラップは混合室口１９内の暖空気流１６の貫流を閉鎖している。蒸発器４から流出する空気流全体が冷空気流１５として混合室口１４を介して混合室１７に送り込まれる。
【００４３】
図１０は図３に相応して混合フラップ８を第２端位置で示しており、この混合フラップは混合室口１４内の冷空気流１５の貫流を閉鎖している。蒸発器５から流出する空気流全体が放熱器流入通路１８、放熱器６、補助ヒータ７を介して暖空気流１６として混合室１７に送り込まれる。
【００４４】
図１１には、図４の図示に依拠して、混合フラップ８が中間位置で示してある。冷空気流１５用混合室口１４も暖空気流１６用混合室口１９も完全には閉鎖または開放されていない。蒸発器５からくる空気流の流れ経路は図示矢印に基づいて明らかとなる。冷空気流１５は混合室１７内に直接達する第１部分流と第２部分流とに分割され、第２部分流は混合フラップ８の壁領域１０を介して暖空気通路１３内に方向転換され、そこで、放熱器６を通過した部分空気流と混合される。壁領域１０の流線形に実施される形状によって、図４から明らかとなるように、冷たい部分流の穏やかな方向転換が可能である。
【００４５】
図１２は、図９〜図１１の断面図による混合フラップ８を斜視図で示す。ここでも混合フラップ８の枢支が再度示してあり、図示実施例では４つの枢支手段９を介してであり、これらの枢支手段はレバーアームとして実施されており、それぞれ対で１つの共通する回転軸２０を有する。例えば混合室１７の第１領域では冷部分空気流と暖部分空気流との良好な混合を達成し、第２領域では混合室内もしくはそこから分岐する空気通路１１内で強力な温度積層を達成するために、混合フラップ８の壁領域１０は横方向で２つの異なる湾曲区域に分割されている。壁領域１０の異なる湾曲領域の間の結合部として基本的に役立つのは段差状正面壁２２である。
【００４６】
図９〜図１２に示す実施形態の混合フラップでは２つの端位置の間の運動がやはり回転と並進とからなる混合態様で行われる。回転運動からの偏差は、例えば図７に示す実施例におけるよりもはるかに大きい。ハウジング２内で位置固定の回転軸２０の配置と枢支手段９とレバーアーム長とを変更することによって混合フラップ８は、開放運動もしくは閉鎖運動の間に暖空気と冷空気との所期の混合比もしくは暖空気通路８への冷空気流の直接的貫流の各要求条件に最適に調整することができる。同様に、構造空間条件または構造空間制約への適応を行うことができる。
【図面の簡単な説明】
【００４７】
【図１】本発明に係る空気調和機構と暖空気通路を完全に閉鎖した混合フラップとの横断面図である。
【図２】本発明に係る空気調和機構の部分領域と暖空気通路を完全に閉鎖した温度混合フラップとの横断面図である。
【図３】本発明に係る空気調和機構と冷空気通路を完全に閉鎖した温度混合フラップとの部分領域の横断面図である。
【図４】本発明に係る空気調和機構の部分領域と中間位置において新鮮空気および暖空気通路を部分的に閉鎖した温度混合フラップとの横断面図である。
【図５】端位置における混合フラップとハウジング密封稜との横断面図である。
【図６】端位置間で支承される位置における混合フラップとハウジング密封稜との横断面図である。
【図７】混合フラップと枢支要素とを略斜視図で示す。
【図８】混合フラップと枢支要素とハウジング密封稜とを略斜視図で示す。
【図９】本発明に係る空気調和機構の部分領域と暖空気通路を完全に閉鎖した第２実施形態の温度混合フラップとの横断面図である。
【図１０】本発明に係る空気調和機構の部分領域と冷空気通路を完全に閉鎖した第２実施形態の温度混合フラップとの横断面図である。
【図１１】本発明に係る空気調和機構の部分領域と中間支承される位置において新鮮空気および暖空気通路を部分的に閉鎖した第２実施形態の温度混合フラップとの横断面図である。
【図１２】第２実施形態の混合フラップと枢支要素とを略斜視図で示す。
【符号の説明】
【００４８】
１  暖房および／または空気調和機構
２  ハウジング
３  送風機
４  フィルタ
５  蒸発器
６  放熱器
７  補助ヒータ
８  混合フラップ
９  枢支手段（レバー）
１０  壁領域
１１  空気通路
１２  制御フラップ
１３  暖空気通路
１４  混合室口‐冷空気
１５  冷空気流
１６  暖空気流
１７  混合室
１８  放熱器流入通路
１９  混合室口‐暖空気
２０  回転軸
２１  側板
２２  正面壁体
２３  止め面‐混合フラップ
２４  シール腹部‐フラップ
２５  止め面‐ハウジング
２６  シール腹部‐ハウジング
【図１】
2007537080.tif 000003
【図２】
2007537080.tif 000004
【図３】
2007537080.tif 000005
【図４】
2007537080.tif 000006
【図５】
2007537080.tif 000007
【図６】
2007537080.tif 000008
【図７】
2007537080.tif 000009
【図８】
2007537080.tif 000010
【図９】
2007537080.tif 000011
【図１０】
2007537080.tif 000012
【図１１】
2007537080.tif 000013
【図１２】
2007537080.tif 000014
【国際調査報告】
2007537080.tif 000015
2007537080.tif 000016
2007537080.tif 000017
2007537080.tif 000018